(57)【要約】【課題】ディスプレイに設定操作画面と設定結果表示画面を並べて表示し、設定結果表示画面にイラスト表示と文字による一覧表示を切替え表示させることで、設定状態を総合的に理解することが可能になり、また、イラスト表示と一覧表示の確認も容易になる。【解決手段】プリンタドライバを設定する場合に、ディスプレイ１２に設定操作画面２１と設定結果表示画面２２を並べて表示する。設定結果表示画面２２の位置は固定され印刷情報の設定結果を表示する。そして、設定結果の表示は用紙イメージを用いたイラスト表示と文字による一覧表示とで行い、これをキーボタン２３ａ，２３ｂによって切替える。【選択図】　　図５
2004038458.tif 000002
【特許請求の範囲】
【請求項１】
ディスプレイに印刷に必要な各種機能や条件等の印刷情報を標準設定から変更するための設定操作画面を表示する手段と、前記ディスプレイに設定結果を表示する設定結果表示画面を前記設定操作画面と並べて所定の位置に表示する手段と、前記設定結果表示画面に印刷情報の設定結果を総合的にイラスト表示させる手段と、前記設定結果表示画面に印刷情報の設定結果を文字によって一覧表示させる手段と、所定の位置に配置され、設定結果をイラスト表示させるか一覧表示させるかを切替える切替え手段とを備えたことを特徴とする印刷情報設定装置。
【請求項２】
設定結果表示画面に印刷情報の設定結果を文字によって一覧表示させる手段は、標準設定から変更した内容のみを一覧表示させることを特徴とする請求項１記載の印刷情報設定装置。
【請求項３】
ディスプレイに印刷に必要な各種機能や条件等の印刷情報を標準設定から変更するための設定操作画面を表示する手段と、前記ディスプレイに設定結果を表示する設定結果表示画面を前記設定操作画面と並べて所定の位置に表示する手段と、前記設定結果表示画面に印刷情報の設定結果を総合的にイラスト表示させる手段と、前記設定結果表示画面に印刷情報の設定結果を文字によって一覧表示させる手段と、所定の位置に配置され、設定結果をイラスト表示させるか一覧表示させるかを切替える切替え手段と、前記設定結果表示画面に設定結果が文字によって一覧表示された状態で、表示項目のクリックがあると、設定操作画面をその表示項目に対応した設定操作画面に切替える手段を備えたことを特徴とする印刷情報設定装置。
【請求項４】
ディスプレイに印刷に必要な色調整等の各種機能や条件等の印刷情報を標準設定から変更するための設定操作画面を表示する手段と、前記ディスプレイに設定結果を表示する設定結果表示画面を前記設定操作画面と並べて所定の位置に表示する手段と、前記設定結果表示画面に色調整を含む印刷情報の設定結果を、用紙イメージを用いて総合的にイラスト表示させる手段と、前記設定結果表示画面に印刷情報の設定結果を文字によって一覧表示させる手段と、所定の位置に配置され、設定結果をイラスト表示させるか一覧表示させるかを切替える切替え手段とを備えたことを特徴とする印刷情報設定装置。
【請求項５】
コンピュータを、ディスプレイに印刷に必要な各種機能や条件等の印刷情報を標準設定から変更するための設定操作画面を表示する手段と、前記ディスプレイに設定結果を表示する設定結果表示画面を前記設定操作画面と並べて所定の位置に表示する手段と、前記設定結果表示画面に印刷情報の設定結果を総合的にイラスト表示させる手段と、前記設定結果表示画面に印刷情報の設定結果を文字によって一覧表示させる手段と、所定の位置に配置され、設定結果をイラスト表示させるか一覧表示させるかを切替える切替え手段として機能させるためのプログラム。
【発明の詳細な説明】
【０００１】
【発明の属する技術分野】
本発明は、印刷情報設定装置及びプログラムに関する。
【０００２】
【従来の技術】
ディスプレイに、印刷に必要な各種機能や条件等の印刷情報を標準設定から変更するための設定操作画面を表示し、この設定操作画面にて操作し設定した内容を一覧表示させるものが知られている。そして、従来は、図１１に示すように、ディスプレイ１の表示画面に、プリンタドライバで設定できるすべての機能や条件等の印刷情報を設定変更の有無にかかわらず列記して表示していた。
【０００３】
【発明が解決しようとする課題】
しかし、このようにプリンタドライバで設定できるすべての印刷情報を単に一覧表示させるのみのものでは、設定状態を総合的に理解するのが困難であった。また、色調整をイラスト表示するものがあるが、単に色合いを示すもので、設定状態を総合的にイラスト表示するものではなかった。
【０００４】
そこで、本発明は、ディスプレイに設定操作画面と設定結果表示画面を並べて表示し、設定結果表示画面に印刷情報の設定結果を、総合的にイラスト表示させるか、文字によって一覧表示させるかを切替えることができ、これにより、設定状態を総合的に理解することができ、しかも、イラスト表示、一覧表示の確認が容易にできる印刷情報設定装置及びプログラムを提供する。
【０００５】
【課題を解決するための手段】
本発明は、ディスプレイに、印刷に必要な各種機能や条件、例えば色調整やステイプル、両面印刷等の印刷情報を標準設定から変更するための設定操作画面を表示する手段と、ディスプレイに設定結果を表示する設定結果表示画面を設定操作画面と並べて所定の位置に表示する手段と、設定結果表示画面に印刷情報の設定結果を、例えば色調整やステイプル、両面印刷等の印刷情報を加味して、総合的にイラスト表示させる手段と、設定結果表示画面に印刷情報の設定結果を文字によって一覧表示させる手段と、設定結果表示画面の所定の位置に配置され、設定結果をイラスト表示させるか一覧表示させるかを切替える手段とを備えている。
【０００６】
【発明の実施の形態】
以下、本発明の実施の形態を、図面を参照して説明する。
図１は印刷情報設定装置の構成を示すブロック図で、１１はホストコンピュータ、１２はこのホストコンピュータ１１によって表示制御されるディスプレイ、１３は前記コンピュータ１１に外部から情報を入力するキーボードやマウス等の入力装置、１４は前記ホストコンピュータ１１によって駆動制御されるプリンタ、１５はＣＤ−ＲＯＭを駆動し、プログラムデータ等を読取って前記ホストコンピュータ１１に供給するＣＤ−ＲＯＭドライブである。
【０００７】
前記ホストコンピュータ１１は、プログラムとしてオペレーションシステム（ＯＳ）１６やアプリケーションソフト１７を設け、ＯＳ１６に前記プリンタ１４を駆動制御するプリンタドライバ１８を設けている。
【０００８】
前記プリンタドライバ１８に、印刷に必要な色調整等の各種機能や条件等の印刷情報を設定する場合、ホストコンピュータ１１は前記ディスプレイ１２に図５に示す表示を行う。すなわち、画面右側には標準設定から変更するための設定操作画面２１を表示し、画面左側には設定結果を表示する設定結果表示画面２２を前記設定操作画面２１と並べて所定の位置に表示している。
【０００９】
前記設定結果表示画面２２は、色調整やステイプル、両面印刷等の印刷情報の設定結果を、用紙イメージを用いて総合的にイラスト表示、あるいは、印刷情報の設定結果を文字によって一覧表示するようになっている。そして、前記設定結果表示画面２２の、すぐ下にキーボタン「Ｇｒａｐｈｉｃｓ」２３ａ、「Ｔｅｘｔ」２３ｂを配置し、この各キーボタン２３ａ，２３ｂによって、印刷情報の設定結果を、用紙イメージを用いて総合的にイラスト表示させるか一覧表示させるか切替えるようになっている。
【００１０】
すなわち、Ｓｅｔｕｐタブ上において、前記設定結果表示画面２２には、前記キーボタン「Ｇｒａｐｈｉｃｓ」２３ａをマウスでクリックすることで図５に示すように用紙イメージのイラスト表示が行われ、また、前記キーボタン「Ｔｅｘｔ」２３ｂをマウスでクリックすることで図６に示すように印刷情報の設定結果の一覧表示が行われる。そして、前記設定結果表示画面２２及びキーボタン２３ａ，２３ｂは、タブがＳｅｔｕｐからＰｒｉｎｔ　Ｊｏｂ、Ｌａｙ　ｏｕｔ、Ｃｏｌｏｒ／Ｑｕａｌｉｔｙなど他のタブに切替えられてもその位置及び表示内容は変化しないようになっている。
【００１１】
前記設定結果表示画面２２に印刷情報の設定結果の一覧表示を行う場合は、プリンタドライバを開いた状態のときの標準設定から変更した内容のみを表示するようになっている。これにより、設定内容に関係のない情報は省略されるので、ユーザは設定内容確認を容易に行うことができる。
【００１２】
前記設定結果表示画面２２に用紙イメージのイラスト表示が行われている状態では、図２に示す処理を行うようになっている。すなわち、Ｓ１にて、入力データの読み込みを行うと、Ｓ２にて、入力データにより、対応する画像を更新し、Ｓ３にて、更新した画像を表示画像メモリに格納する。そして、Ｓ４にて、変更があった項目に対応する画像パーツに変更し、Ｓ５にて、前記ディスプレイ１２の設定結果表示画面２２に表示させる。
【００１３】
また、前記設定結果表示画面２２に印刷情報の設定結果の一覧表示が行われている状態では、図３に示す処理を行うようになっている。すなわち、Ｓ１１にて、入力データの読み込みを行うと、Ｓ１２にて、入力データにより、対応するテキストデータを更新し、Ｓ１３にて、更新したテキストデータを表示画像メモリに格納する。そして、Ｓ１４にて、変更があった項目に対応するテキストデータに変更し、Ｓ１５にて、前記ディスプレイ１２の設定結果表示画面２２に表示させる。
【００１４】
前記設定結果表示画面２２に印刷情報の設定結果の一覧表示が行われている状態では、表示されている各項目がそれぞれの設定操作画面にリンクしており、ある項目をマウスでクリックすると、その項目にリンクした設定操作画面２１が表示される。すなわち、図４に示すように、Ｓ２１にて、設定結果表示画面２２の一覧表示において変更する項目をクリックすると、Ｓ２２にて、設定操作画面２１をそのクリックした項目にリンクしているその項目の設定操作画面２１に切替える。
【００１５】
例えば、図６の表示において、設定結果表示画面２２に表示されている一覧の例えば「Ｃｏｌｏｒ／Ｑｕａｌｉｔｙ　Ｔａｂ」という項目をクリックすると、設定操作画面２１の表示が図７の表示に切り替わる。
【００１６】
従って、ユーザは、一覧表示で設定結果を確認し、その内容を変更したい場合には、設定結果表示画面２２の一覧表示から、該当する項目をクリックすることでその項目の設定操作画面２１が表示され、容易に設定変更作業ができる。
【００１７】
前記設定結果表示画面２２に用紙イメージのイラスト表示を行う場合は、色調整やステイプル、両面印刷等の印刷情報の設定結果を組み合わせて総合的に表示するようになっている。すなわち、ステイプル、両面印刷を設定した場合は、図８に示すように、設定結果表示画面２２に表示される用紙イメージＡにおいてステイプルする位置Ａ１及び裏面Ａ２を見せる表示が行われる。従って、ユーザは印刷の仕上がり状態をイラストによって一目で把握することができる。
【００１８】
前記ディスプレイ１２が図８の表示状態にあるときに、ＣｏｌｏｒタブＢをクリックすると、図９に示すカラーバランスの設定に切り替わる。ここでは各色Ｃｙａｎ、Ｍａｇｅｎｔａ、Ｙｅｌｌｏｗのバランスはすべて０となっており、設定結果表示画面２２には標準設定のカラーバランスの色合いでの用紙イメージＣが表示される。
【００１９】
この状態でＣｙａｎを＋５０、Ｙｅｌｌｏｗを＋３０に変更すると、ディスプレイ１２の表示は図１０に示すようになり、用紙イメージＣの色合いが変更に応じて変化する。この状態でＣｏｌｏｒタブからＳｅｔｕｐタブに切替えると、図８の用紙イメージＡが表示されるがこのときの色合いは図１０の用紙イメージＣの色合いと同じ色合いになっている。
【００２０】
このように、設定結果表示画面２２には切替えによって、設定内容の用紙イメージ表示と文字による設定内容の一覧表示ができる。従って、設定した内容を設定項目の文字のみでなく、プリンタ１４から出力される用紙のイメージで把握することができ、設定状態を総合的に理解することができる。しかも、イラスト表示、一覧表示を同一の設定結果表示画面２２で切替えて行うので、両表示の確認が容易にできる。
【００２１】
なお、この実施の形態においては、イラスト表示を用紙イメージで行うものについて述べたが必ずしもこれに限定するものではない。
【００２２】
【発明の効果】
以上、本発明によれば、ディスプレイに設定操作画面と設定結果表示画面を並べて表示し、設定結果表示画面に印刷情報の設定結果を、総合的にイラスト表示させるか、文字によって一覧表示させるかを切替えることができ、これにより、設定状態を総合的に理解することができ、しかも、イラスト表示、一覧表示の確認が容易にできる。
【図面の簡単な説明】
【図１】本発明の実施の形態を示すブロック図。
【図２】同実施の形態においてディスプレイの設定結果表示画面にイラスト表示を行っている状態での表示変更処理を示す流れ図。
【図３】同実施の形態においてディスプレイの設定結果表示画面に文字による一覧表示を行っている状態での表示変更処理を示す流れ図。
【図４】同実施の形態においてディスプレイの設定結果表示画面に文字による一覧表示を行っている状態で項目を指定した場合の設定操作画面への切替え処理を示す流れ図。
【図５】同実施の形態においてディスプレイに表示されるプリンタドライバの設定画面を示す図。
【図６】図５の設定画面において設定結果表示画面をイラスト表示から文字による一覧表示に切替えた状態を示す図。
【図７】図６の設定画面において設定結果表示画面の１項目をクリックしたときの設定操作画面の変化を示す図。
【図８】同実施の形態においてステイプル、両面印刷を設定した場合の設定結果表示画面のイラスト表示を示す図。
【図９】同実施の形態のプリンタドライバの設定画面においてＣｏｌｏｒタブＢをクリックしたときの表示画面を示す図。
【図１０】図９において設定操作画面を操作したときの表示画面を示す図。
【図１１】従来のプリンタドライバの設定画面の一例を示す図。
【符号の説明】
１１…ホストコンピュータ
１２…ディスプレイ
１８…プリンタドライバ
【図１】
2004038458.tif 000003
【図２】
2004038458.tif 000004
【図３】
2004038458.tif 000005
【図４】
2004038458.tif 000006
【図５】
2004038458.tif 000007
【図６】
2004038458.tif 000008
【図７】
2004038458.tif 000009
【図８】
2004038458.tif 000010
【図９】
2004038458.tif 000011
【図１０】
2004038458.tif 000012
【図１１】
2004038458.tif 000013